(57)【要約】【課題】専用の解除冶具を常備することにより電線解除を容易に行って作業性の向上を図ることができる回路ブロック及び回路ブロックを備えた照明器具を提供する。【解決手段】回路ブロック１１及び回路ブロック１１を備えた照明器具１０は、電線解除穴２６への解除治具１７の挿入により電線との電気的な接続を解除される速結端子を有する回路ブロック１１であり、解除治具１７を、回路ブロック１１を構成する部品の一部に一体に形成した。【選択図】図１
2011023151.tif 000002
【特許請求の範囲】
【請求項１】
電線解除穴への解除治具の挿入により電線との電気的な接続を解除される速結端子を有する回路ブロックであって、
前記解除治具を、前記回路ブロックを構成する部品の一部に一体に形成したことを特徴とする回路ブロック。
【請求項２】
前記解除治具は、回路ブロックに有するケースの一部に一体に形成されたことを特徴とする請求項１に記載した回路ブロック。
【請求項３】
前記解除治具は、前記回路ブロックに有する回路基板の一部に一体に形成されたことを特徴とする請求項１に記載した回路ブロック。
【請求項４】
前記解除治具を、１つの前記回路ブロックに複数個形成したことを特徴とする請求項１〜３のいずれかに記載した回路ブロック。
【請求項５】
請求項１〜４のいずれかの回路ブロックを備えたことを特徴とする照明器具。
【発明の詳細な説明】
【技術分野】
【０００１】
本発明は、電線を電気的に接続する速結端子を有する回路ブロック及び回路ブロックを備えた照明器具に関する。
【背景技術】
【０００２】
速結端子を有する回路ブロック及び回路ブロックを備えた照明器具においては、寿命を迎える回路ブロックを新しい回路ブロックに交換する際に、速結端子に接続された電線を取り外す必要がある。
【０００３】
その際、速結端子の電線を取り外すことができる回路ブロックの場合、解除ボタンが設けられているタイプと、解除治具を電線解除穴に挿入するタイプとの、主に２つがある。解除治具を用いて電線を取り外すタイプの場合は、専用の解除治具での電線解除が好ましい。
【０００４】
このような背景に鑑み、本発明者らは、解除ボタンを設けているタイプとして、速結端子の鎖錠部材を押圧して電線を解除する解除ボタンをハウジングに設けた回路ブロックを既に提案している（例えば、特許文献１参照）。
【０００５】
また、本発明者らは、解除治具を電線解除穴に挿入するタイプとして、解除穴を電線挿入穴から離れた側の面が傾斜面をなすように形成した回路ブロックを既に提案している（例えば、特許文献２参照）。
【先行技術文献】
【特許文献】
【０００６】
【特許文献１】特開２００３−１９７２８８号公報（図３、請求項１）
【特許文献２】実開平５−４３４６８号公報（図１、請求項１）
【発明の概要】
【発明が解決しようとする課題】
【０００７】
ところで、使用期間を満了した回路ブロックの交換時等に行う電線の解除作業において、解除治具を電線解除穴に挿入するタイプの場合、電線の解除には解除治具が必要である。しかし、作業を行う現場において作業者が解除治具を持っている可能性は低い。
【０００８】
解除治具がない場合、針金等で代用するか、電線を切断することが多い。針金等で代用した場合、針金の固さや大きさによって電線が外れない場合がある。
【０００９】
これとは異なり、電線を切断した場合、電線が短くなるので新しく交換した回路ブロックに電線が届かなくなることが懸念される。
【００１０】
また、交換される新しい回路ブロックに予め電線を結線しておくこともできるが、電線同士の結合が必要となり、速結の場合より手間と時間がかかる。
【００１１】
本発明は、前述した課題を解決するためになされたものであり、その目的は、専用の解除冶具を常備することにより電線解除を容易に行って作業性の向上を図ることができる回路ブロック及び回路ブロックを備えた照明器具を提供することにある。
【課題を解決するための手段】
【００１２】
本発明に係る回路ブロックは、電線解除穴への解除治具の挿入により電線との電気的な接続を解除される速結端子を有する回路ブロックであって、前記解除治具を、前記回路ブロックを構成する部品の一部に一体に形成したことを特徴とする。
【００１３】
本発明においては、解除治具が、例えば回路基板、ケースを形成する土台および土台カバー等の回路ブロックを構成する部材の一部に常備される。
これにより、使用期間を満了した回路ブロックの交換時等に行う電線の解除作業において、その回路ブロックに常備されている解除治具を用いることになる。
従って、簡単に解除治具を入手することができ、その解除治具を用いて電線解除を容易に行って作業性の向上を図ることができる。
【００１４】
本発明においては、回路ブロックに合わせた解除治具が装備される。
これにより、回路ブロックの電線解除穴へ、規格に合う解除治具が挿入される。
従って、代用品による無理な電線解除を行わずに部品の破損を防止することができる。
【００１５】
本発明においては、専用の解除治具が適用される。
これにより、電線を切断する必要がなくなる。
従って、回路ブロックに電線が届かなくなることを防止することができ、作業性の向上を図ることができる。加えて、解除治具を絶縁部材で形成する場合、複数箇所を同時に解除できるようにすることもできる。
【００１６】
本発明においては、解除治具が、回路ブロックを構成する部材の一部に形成される。
これにより、解除治具を別部品として設ける必要がなくなる。
従って、単一の金型で回路ブロックを構成する部材と解除治具とをいっしょに形成することにより生産性の向上を図ることができる。
【００１７】
本発明に係る回路ブロックは、上記回路ブロックにおいて、前記解除治具は、回路ブロックに有するケースの一部に一体に形成されたことを特徴とする。
【００１８】
本発明においては、解除治具が回路ブロックのケースを構成する土台または土台カバーに一体形成される。
これにより、作業者の目に付きやすい場所に解除治具を配置することができる。
従って、古い回路ブロックの交換の際に解除治具を取り外すと、古い回路ブロックである目印となるため、間違って古い回路ブロックを再度使用してしまうことを防止できる。このとき、土台や土台カバー等のケースが金属製の場合、解除治具の強度を高くすることができるとともに形状の自由度も高くすることができ、作業者が扱いやすい形状にすることが可能である。加えて、土台や土台カバー等に取り外し用の切欠を設けて一体形成した場合、切欠の空間を放熱用に利用することもできる。さらに、土台カバーに設けた場合、土台に組み付ける際の位置決めとして利用することもできる。
【００１９】
本発明に係る回路ブロックは、上記回路ブロックにおいて、前記解除治具は、前記回路ブロックに有する回路基板の一部に一体に形成されたことを特徴とする。
【００２０】
本発明においては、解除治具が回路ブロックを構成する回路基板に一体形成される。
これにより、速結端子の近傍に解除治具が配置される。
従って、取り扱い性を向上させることができるとともに、金属製のケースに形成する場合と比較して取外しを容易に行うことができる。また、回路基板は絶縁物であるために、作業者の感電を防止することができる。加えて、回路基板に解除治具である旨を印刷することができるために、作業者に解除治具の存在を明確に表示することができる。
【００２１】
本発明に係る回路ブロックは、上記回路ブロックにおいて、前記解除治具を、１つの前記回路ブロックに複数個形成したことを特徴とする。
【００２２】
本発明においては、解除治具が１つの回路ブロックに複数個形成される。
これにより、一つ目の解除冶具を使ってしまった後に、残りの解除治具を予備として常備しておくことができる。
従って、作業現場において、一つ目の解除冶具を使ってしまったり、一つ目の解除治具を落っことしてしまったりしたとしても、残りの解除治具を使って電線解除を確実に行うことができる。加えて、別の時期に電線の解除を行う場合にも解除治具を利用することができ、別の速結端子、例えばランプソケットなどにも利用することができる。
【００２３】
本発明に係る照明器具は、上記回路ブロックを備えたことを特徴とする。
【００２４】
本発明においては、照明器具の、例えば回路基板、ケースを形成する土台および土台カバー等の回路ブロックを構成する部材の一部に解除治具を常備する。
これにより、常備する解除治具を用いて電線を解除することにより、電線が短くならない。
従って、回路ブロックを構成する回路基板等の複数回の交換を行うことができるとともに回路基板の交換を容易に行うことができ、作業性が良好な照明器具を提供することができる。
【発明の効果】
【００２５】
本発明の回路ブロック及び回路ブロックを備えた照明器具によれば、解除治具を、回路ブロックを構成する部品の一部に一体に形成した。
これにより、専用の解除冶具を常備することにより電線解除を容易に行って作業性の向上を図ることができるという効果を有する。
【図面の簡単な説明】
【００２６】
【図１】本発明に係る第１実施形態の回路ブロックを備えた照明器具の外観斜視図
【図２】図１に示した照明器具に装備される解除治具の外観斜視図
【図３】本発明に係る第１実施形態の回路ブロックを備えた照明器具に装備される解除治具の変形例の外観斜視図
【図４】本発明に係る第２実施形態の回路ブロックを備えた照明器具の外観斜視図
【図５】本発明に係る第３実施形態の回路ブロックを備えた照明器具の外観斜視図
【図６】本発明に係る第４実施形態の回路ブロックを備えた照明器具の外観斜視図
【図７】本発明に係る第５実施形態の回路ブロックを備えた照明器具の外観斜視図
【発明を実施するための形態】
【００２７】
以下、本発明の複数の実施形態に係る回路ブロック及び回路ブロックを備えた照明器具について図面を参照して説明する。
【００２８】
（第１実施形態）
図１に示すように、本発明の第１実施形態である照明器具１０は、回路ブロック１１を備え、回路ブロック１１は、土台１３および土台カバー１４を有するケース１２と、回路基板１５と、給電部品１６と、回路ブロック１１を構成する、土台１３および土台カバー１４を有するケース１２、回路基板１５、給電部品１６のうちの一部品である土台カバー１４に取り外し自在に設けられた第１解除治具１７と、を備える。照明器具１０は、ケース１２の下方に光源である不図示の直管型の蛍光ランプを保持し、不図示の天井面に直接設置される。
【００２９】
土台１３は金属製の板部材をコ字形状に折り曲げ成形することにより、天板１８と、一対の側板１９とを有して形成されており、天井面に当接する上端部に配置されている。土台１３には回路基板１５を挟み込んで支持するための一対の舌片形状をなす回路基板支持部２０を複数形成している。
【００３０】
土台カバー１４は、例えば硬質の樹脂材料を用いて土台１３に対向するコ字形状に形成されており、底板２１と、一対の側板２２とを有する。土台カバー１４は、その側板２２を土台１３の側板１９に外嵌することにより組み付けられる。土台カバー１４は樹脂製に代えて金属製であっても良い。そうすれば、第１解除治具１７の強度を高くすることができるとともに形状の自由度も高くすることができる。
【００３１】
回路基板１５は、土台１３の側板１９の内側に収容される外形を有し、土台カバー１４側の下面に回路ブロック１１の一部を構成する不図示の安定器等を実装している。回路基板１５は、土台１３の回路基板支持部２０に挟み込まれた後にネジ２３のネジ込みにより土台１３に固定されている。
【００３２】
給電部品１６は、不図示の速結端子と鎖錠部材とをハウジング２４内に収容して土台カバー１４から露出している回路基板１５の端部に実装されている。給電部品１６はハウジング２４の側部に一対の電線挿入穴２５と同じく一対の電線解除穴２６とを設けている。
【００３３】
第１解除治具１７は、給電部品１６の近傍における土台カバー１４の一方の側板２２の端縁に連結部２７を介して接続されている。
【００３４】
第１解除治具１７は、必要に応じて速結部２７を引きちぎる等することにより土台カバー１４から分離されて使用される。第１解除治具１７は、土台１３に土台カバー１４を組み付ける際に、土台１３の側板１９に形成されている位置決め突部２８に合わせるようにすることにより、土台カバー１４を土台１３に位置決めするのに用いられる。
【００３５】
第１解除治具１７は、土台カバー１４を作成する際に同時に作成されるために、土台カバー１４と同一の樹脂材料により成形される。
【００３６】
加えて、ここでは図示しないが、給電部品１６の近傍における土台カバー１４の他方の側板２２の端縁に連結部２７を介してもう一つの第１解除治具１７が設けられている。
【００３７】
図２に示すように、第１解除冶具１７は、指で握るための握り部２９の一方の端部に軸形状をなして給電部品１６の電線解除穴２６に挿入可能な解除部３０を有する。
【００３８】
次に、電線接続作業および電線解除作業について説明する。
【００３９】
電線接続作業では、蛍光ランプを装着させる不図示のソケットや安定器から引き出されている不図示の内部電線を一方の電線挿入穴２５に、外部から引き込まれてきた不図示の外部電線を他方の電線挿入穴２５にそれぞれ押圧挿入する。これにより、鎖錠部材を弾性変形させ、鎖錠部材に蓄積されている弾性反発力により内部電線を一方の速結端子に、外部配線を他方の速結端子にそれぞれ電気的に接続させる。
【００４０】
電線解除作業は施工現場で行われる。電線解除作業では、土台１３および土台カバー１４からなるケース１２、回路基板１５、給電部品１６、安定器である回路ブロック１１に有する寿命を迎える給電部品１６を新しい給電部品１６に交換する必要が生じた際に、まず、速結部２７を引きちぎることにより第１解除治具１７を土台カバー１４から取り外す。
【００４１】
そして、第１解除冶具１７の握り部２９を指で握り、解除部３０を一方の電線解除穴２６に押圧挿入する。
【００４２】
第１解除冶具１７の解除部３０が一方の電線解除穴２６に押圧挿入されることにより、解除部３０により鎖錠部材を弾性変形させて内部電線を一方の電線挿入穴２５から挿出させる。
【００４３】
続いて、第１解除冶具１７の解除部３０を他方の電線解除穴２６に押圧挿入し、解除部３０により鎖錠部材を弾性変形させて外部電線を他方の電線挿入穴２５から挿出させる。
【００４４】
そして、寿命を迎える給電部品１６を新しい給電部品１６に交換し、上記と同様にして、内部電線および外部電線を電線挿入穴２５にそれぞれ押圧挿入して速結端子にそれぞれ電気的に接続させることになる。
【００４５】
このとき、一つの第１解除冶具１７を使ってしまった後に、残りの第１解除治具１７が予備として常備される。そのため、作業現場において、一つの第１解除冶具１７を使ってしまったり、一つの第１解除治具１７を落っことしてしまったりしたとしても、残りのもう一つの第１解除治具１７を使って電線解除を確実に行うことができる。また、別の時期に電線の解除を行う場合にも、もう一つの第１解除治具１７を利用することができ、別の速結端子、例えばランプソケットなどにも利用することができる。
【００４６】
図３に示すように、変形例の第１解除治具１７は、指で握るための握り部３１の一方の端部に一対の軸形状をなして給電部品１６の一対の電線解除穴２６に挿入可能な一対の解除部３２を有する。
【００４７】
本変形例の第１解除冶具１７は、給電部品１６の一対の電線解除穴２６に挿入可能な一対の解除部３２を有するために、解除作業を簡単にすることができる。
【００４８】
以上説明してきたように、本発明の第１実施形態の回路ブロック１１では、第１解除治具１７が、回路基板１５、ケース１２を形成する土台１３および土台カバー１４の回路ブロック１１を構成する部材の一部に常備される。
これにより、使用期間を満了した回路ブロック１１の交換時等に行う電線の解除作業において、その回路ブロック１１に常備されている第１解除治具１７を用いることになる。
従って、簡単に第１解除治具１７を入手することができ、その第１解除治具１７を用いて電線解除を容易に行って作業性の向上を図ることができる。
【００４９】
本発明の第１実施形態の回路ブロック１１では、回路ブロック１１に合わせた第１解除治具１７が装備される。
これにより、回路ブロック１１に有する給電部品１６の電線解除穴２６へ、規格に合う第１解除治具１７の解除部３０，３２が挿入される。
従って、代用品による無理な電線解除を行わずに部品の破損を防止することができる。
【００５０】
本発明の第１実施形態の回路ブロック１１では、専用の第１解除治具１７が適用される。
これにより、電線を切断する必要がなくなる。
従って、回路ブロック１１に電線が届かなくなることを防止することができ、作業性の向上を図ることができる。
【００５１】
本発明の第１実施形態の回路ブロック１１では、第１解除治具１７が、回路ブロック１１を構成する部材の一部に形成される。
これにより、第１解除治具１７を別部品として設ける必要がなくなる。
従って、単一の金型で回路ブロック１１を構成する部材と第１解除治具１７とをいっしょに形成することにより生産性の向上を図ることができる。
【００５２】
本発明の第１実施形態の回路ブロック１１では、第１解除治具１７が回路ブロック１１のケース１２を構成する土台カバー１４に一体形成される。
これにより、作業者の目に付きやすい場所に第１解除治具１７を配置することができる。
従って、古い回路ブロック１１の交換の際に第１解除治具１７を取り外すと、古い回路ブロック１１である目印となるため、間違って古い回路ブロック１１を再度使用してしまうことを防止できる。さらに、土台カバー１４に第１解除治具１７を設けたことにより、土台１３に組み付ける際の位置決めとして利用することができる。
【００５３】
本発明の第１実施形態の回路ブロック１１では、１つの第１解除冶具１７の他にもう一つの第１解除治具１７が１つの回路ブロック１１に形成される。
これにより、一つ目の第１解除冶具１７を使ってしまった後に、残りのもう一つの第１解除治具１７を予備として常備しておくことができる。
従って、作業現場において、一つ目の第１解除冶具１７を使ってしまったり、一つ目の第１解除治具１７を落っことしてしまったりしたとしても、残りのもう一つの第１解除治具１７を使って電線解除を確実に行うことができる。加えて、別の時期に電線の解除を行う場合にももう一つの第１解除治具１７を利用することができ、別の速結端子、例えばランプソケットなどにも利用することができる。
【００５４】
本発明の第１実施形態の照明器具１０では、回路基板１５、ケース１２を形成する土台１３および土台カバー１４等の回路ブロック１１を構成する土台カバー１４の一部に第１解除治具１７を常備する。
これにより、常備する第１解除治具１７を用いて電線を解除することにより、電線が短くならない。
従って、回路ブロック１１を構成する回路基板１５等の複数回の交換を行うことができるとともに回路基板１５の交換を容易に行うことができ、作業性が良好な照明器具１０を提供することができる。
【００５５】
（第２実施形態）
次に、本発明の第２実施形態の回路ブロック及び回路ブロックを備えた照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００５６】
図４に示すように、本発明の第２実施形態の回路ブロック４１及び回路ブロック４１を備えた照明器具４０は、回路ブロック１１を構成する、土台１３および土台カバー１４を有するケース１２、回路基板１５、給電部品１６のうちの一部品である土台カバー１４に解除治具収納切欠４２を介して取り外し自在に設けられた第２解除治具４３を備える。
【００５７】
第２解除治具４３は、給電部品１６の近傍における土台カバー１４の一方の側板２２の端縁に連結部２７を介して接続されている。
【００５８】
解除治具収納切欠４２は第２解除冶具４３の周囲の３方を囲んで切除されているために、土台カバー１４の内側を土台カバー１４の外側に連通させる流体通路として機能する。
【００５９】
第２実施形態の回路ブロック４１及び回路ブロック４１を備えた照明器具４０は、第１実施形態と同様の作用効果を奏する。特に、本実施形態では、第２解除治具４３が土台カバー１４の一方の側板２２における解除治具収納切欠４２内に配置されているために、土台カバー１４に外方に突出する部位がなくなり、それにより、土台カバー１４をコンパクタな外形にして照明器具４０の小型化を図ることができる。
【００６０】
（第３実施形態）
次に、本発明の第３実施形態の回路ブロック及び回路ブロックを備えた照明器具について説明する。
【００６１】
図５に示すように、本発明の第３実施形態の回路ブロック５１及び回路ブロック５１を備えた照明器具５０は、回路ブロック１１を構成する、土台１３および土台カバー１４を有するケース１２、回路基板１５、給電部品１６のうちの一部品である土台１３の側板１９に解除治具収納切欠５２を介して取り外し自在に設けられた第３解除治具５３を備える。
【００６２】
第３解除治具５３は、土台１３の中央部における側板１９の中間部に連結部２７を介して接続されている。解除治具収納切欠５２は、第３解除治具５３の取り外しを容易にするための指挿入用開口部５４を有する。第３解除治具５３は土台カバー１４に形成された切欠５５内に配置されているために容易に目視可能である。
【００６３】
解除治具収納切欠５２および指挿入用開口部５４は、土台１３の内側を土台１３の外側に連通させる流体通路として機能する。
【００６４】
第３実施形態の回路ブロック５１及び回路ブロック５１を備えた照明器具５０は、第１実施形態と同様の作用効果を奏する。特に、本実施形態では、解除治具収納切欠５２および指挿入用開口部５４が流体通路として有効的に機能するために、放熱特性を向上させることができる。
【００６５】
（第４実施形態）
次に、本発明の第４実施形態の回路ブロック及び回路ブロックを備えた照明器具について説明する。
【００６６】
図６に示すように、本発明の第４実施形態の回路ブロック６１及び回路ブロック６１を備えた照明器具６０は、回路ブロック１１を構成する、土台１３および土台カバー１４を有するケース１２、回路基板１５、給電部品１６のうちの一部品である回路基板１５に取り外し自在に設けられた第４解除治具６２を備える。
【００６７】
第４解除治具６２は、給電部品１６の近傍における回路基板１５の端縁に連結部２７を介して接続されている。
【００６８】
第４実施形態の回路ブロック６１及び回路ブロック６１を備えた照明器具６０は、第１実施形態と同様の作用効果を奏する。特に、本実施形態では、第４解除治具６２が回路ブロック６１を構成する回路基板１５に一体形成される。
これにより、速結端子の近傍に第４解除治具６２が配置される。
従って、取り扱い性を向上させることができるとともに、金属製のケース１２に形成する場合と比較して取外しを容易に行うことができる。また、回路基板１５は絶縁物であるために、作業者の感電を防止することができる。加えて、回路基板１５に第４解除治具６２である旨を印刷することができるために、作業者に第４解除治具６２の存在を明確に表示することができる。
【００６９】
（第５実施形態）
次に、本発明の第５実施形態の回路ブロック及び回路ブロックを備えた照明器具について説明する。
【００７０】
図７に示すように、本発明の第５実施形態の回路ブロック７１及び回路ブロック７１を備えた照明器具７０は、回路ブロック１１を構成する、土台１３および土台カバー１４を有するケース１２、回路基板１５、給電部品１６のうちの一部品である土台カバー１４に解除治具収納切欠７２を介して取り外し自在に設けられた第５解除治具７３を備える。
【００７１】
第５解除治具７３は、給電部品１６の近傍における土台カバー１４の一方の側板２２の端縁に連結部２７を介して接続されており、指で握り易いように２枚に折り曲げ成形された握り部７４を有する。
【００７２】
解除治具収納切欠７２は第５解除冶具７３の周囲の３方を囲んで切除されているとともに握り部７４の周りに指挿入用開口部７５を有する。
【００７３】
解除治具収納切欠７２および指挿入用開口部７５は、土台カバー１４の内側を土台カバー１４の外側に連通させる流体通路として機能する。
【００７４】
第５実施形態の回路ブロック７１及び回路ブロック７１を備えた照明器具７０は、第１実施形態と同様の作用効果を奏する。特に、本実施形態では、解除治具収納切欠７２および指挿入用開口部７５が流体通路として有効的に機能するために、放熱特性を向上させることができる。
【００７５】
なお、前記各実施形態で使用したケース１２、土台１３、土台カバー１４、回路基板１５等は例示したものに限定するものではなく適宜変更が可能である。
【符号の説明】
【００７６】
１０、４０、５０、６０、７０  照明器具
１１、４１、５１、６１、７１  回路ブロック
１２  ケース
１３  土台（ケース）
１４  土台カバー（ケース）
１５  回路基板
１７  第１解除治具（解除治具）
２６  電線解除穴
４２、５２、７２  解除治具収納切欠（切欠）
４３  第２解除治具（解除治具）
５３  第３解除治具（解除治具）
５４、７５  指挿入用開口部（切欠）
６２  第４解除治具（解除治具）
７３  第５解除治具（解除治具）
【図１】
2011023151.tif 000003
【図２】
2011023151.tif 000004
【図３】
2011023151.tif 000005
【図４】
2011023151.tif 000006
【図５】
2011023151.tif 000007
【図６】
2011023151.tif 000008
【図７】
2011023151.tif 000009